(57)【要約】【課題】  居室親機の電源が商用電源から非常電源へ切り替わったら、住戸外へ時間の遅れなく通知できる集合住宅用インターホンシステムを提供する。【解決手段】  居室親機２に、居室親機２の電源が商用電源から前記非常電源装置へ切り替わったことを検知する電源回路２８と、この切り替わりを制御機４へ通知する居室親機制御回路２０とを設け、制御機４に切り替わり通知を受信したら管理室親機３に転送通知する制御機制御回路４０、及び通信回路７を介して外部通報装置６へ送信する外部通信回路４４を設けた。そして管理室親機３には、切り替わり通知を受信したら報知動作する拡声スピーカ３７を設けた。【選択図】  図１
2008079106.tif 000002
【特許請求の範囲】
【請求項１】
居住者を呼び出すために集合玄関に設置される集合玄関機と、呼び出しに応答するために各住戸内に設置される居室親機と、管理室内等に設置される管理室親機と、停電の発生した居室親機へ電源の供給を行うための非常電源装置と、前記集合玄関機、前記居室親機、前記管理室親機の間の通話及び通信を制御する制御機とを有する集合住宅インターホンシステムにおいて、
前記居室親機が、居室親機の電源が商用電源から前記非常電源装置へ切り替わったことを検知する電源回路と、この切り替わりを前記制御機へ通知する親機制御手段とを備えると共に、前記制御機が、前記切り替わり通知を受けたら前記管理室親機に転送通知する制御機制御手段を備え、
更に前記管理室親機が、前記切り替わり通知を受信したら報知動作する報知手段及び報知を制御する報知制御手段を備えたことを特徴とする集合住宅インターホンシステム。
【請求項２】
居住者を呼び出すために集合玄関に設置される集合玄関機と、呼び出しに応答するために各住戸内に設置される居室親機と、管理室内等に設置される管理室親機と、停電の発生した居室親機へ電源の供給を行うための非常電源装置と、前記集合玄関機、前記居室親機、前記管理室親機の間の通話及び通信を制御する制御機とを有する集合住宅インターホンシステムにおいて、
前記居室親機が、居室親機の電源が商用電源から前記非常電源装置へ切り替わったことを検知する電源回路と、この切り替わりを前記制御機へ通知する親機制御手段とを備える一方、前記制御機が、通信回線接続インターフェイスを備えて通信回線を介してシステムの異常発生を報知するための外部通報装置を接続してなり、
前記制御機は、更に前記切り替わり通知を受信したら前記外部通報装置へ電源の切り替わりを通知制御する制御機制御手段を備えたことを特徴とする集合住宅インターホンシステム。
【請求項３】
前記居室親機には不審者の侵入を検知するための防犯センサが接続され、不審者の侵入を検知したら警報発報する防犯設定状態にセットされている場合に、不審者の侵入を検知してから発報動作するまでの間に非常電源装置への切り替わりを検知したら、前記親機制御手段は前記切り替わり通知と共に不審者侵入通知を前記制御機へ送信することを特徴とする請求項１又は２に記載の集合住宅インターホンシステム。
【発明の詳細な説明】
【技術分野】
【０００１】
本発明は、集合住宅インターホンシステムに係り、詳しくは住戸内の停電により商用電源から居室親機への電源供給が停止した場合に、非常用電源に切り替わって居室親機に電源が供給される集合住宅インターホンシステムに関する。
【背景技術】
【０００２】
従来より、住戸内停電が発生した場合に、居室親機に接続されている火災センサ等の重要なセンサの検知動作が停止しないように、管理室等の共用部に設置した非常用電源から停電した居室親機に電力を供給し、最低限の保安機器の動作を確保するよう構成された集合住宅インターホンシステムがある（例えば、特許文献１参照）。
このように構成されたシステムでは、停電が発生しても居室親機に接続されている火災センサやガスセンサ等の重要なセンサには非常用電源から電源が供給され、火災発生等の異常を検知した際には居室親機が警報信号を出して管理室等の外部でも異常発生を報知することを可能としている。
【０００３】
【特許文献１】特開２００５−１１７４７０号公報
【特許文献２】特開平９−２６１３７４号公報
【発明の開示】
【発明が解決しようとする課題】
【０００４】
しかしながら、上記従来のシステムの場合、非常用電源への切り替わりは管理室等の住戸外から認識することができない。また、例えば居室への不審者の侵入を窓の開操作を検知する窓センサ等の防犯センサが検知して、住戸外で異常発生を報知するシステムであっても、居室親機の電源を切断した場合、管理室等の外部では不審者の侵入も電源の切断も認識できなかった。
【０００５】
一方で、管理室等に警報監視盤を設置してポーリング処理により各居室親機を監視し、居室親機に故障等の異常が発生したらそれを検知して管理人等に報知するシステムがある（例えば、特許文献２参照）。このようなシステムの場合、居室親機の電源遮断等の異常発生を管理室等の住戸外の装置が認識することができるが、ポーリング処理により個々の居室親機から情報を入手するので、居室親機の異常を入手するまで時間を要していた。例えば１件あたり通信に要する時間が３秒とすると、１００個の居室親機を管理する場合３００秒を必要とし、この構成において異常が発生してから、それを外部で報知するまで最大５分を要することになり、ポーリング処理による異常検知は、緊急を要する場合には不向きであった。
【０００６】
そこで、本発明はこのような問題点に鑑み、居室親機が商用電源から非常電源へ切り替わったら、住戸外へ時間の遅れなく通知できる集合住宅用インターホンシステムを提供することを目的とする。
【課題を解決するための手段】
【０００７】
上記課題を解決する為に、請求項１に記載の発明は、居住者を呼び出すために集合玄関に設置される集合玄関機と、呼び出しに応答するために各住戸内に設置される居室親機と、管理室内等に設置される管理室親機と、停電の発生した居室親機へ電源の供給を行うための非常電源装置と、集合玄関機、居室親機、管理室親機の間の通話及び通信を制御する制御機とを有する集合住宅インターホンシステムにおいて、居室親機が、居室親機の電源が商用電源から非常電源装置へ切り替わったことを検知する電源回路と、この切り替わりを制御機へ通知する親機制御手段とを備えると共に、制御機が、切り替わり通知を受けたら管理室親機に転送通知する制御機制御手段を備え、更に管理室親機が、切り替わり通知を受信したら報知動作する報知手段及び報知を制御する報知制御手段を備えたことを特徴とする。
この構成によれば、居室親機が非常電源装置へ切り替わったら、居室親機がそれを報知する信号を出力し、管理室親機が報知動作するので、居室に異常が発生したことを居室外で報知でき、異常発生に速やかに対応することが可能となる。
【０００８】
請求項２の発明は、居住者を呼び出すために集合玄関に設置される集合玄関機と、呼び出しに応答するために各住戸内に設置される居室親機と、管理室内等に設置される管理室親機と、停電の発生した居室親機へ電源の供給を行うための非常電源装置と、集合玄関機、居室親機、管理室親機の間の通話及び通信を制御する制御機とを有する集合住宅インターホンシステムにおいて、居室親機が、居室親機の電源が商用電源から非常電源装置へ切り替わったことを検知する電源回路と、この切り替わりを制御機へ通知する親機制御手段とを備える一方、制御機が、通信回線接続インターフェイスを備えて通信回線を介してシステムの異常発生を報知するための外部通報装置を接続してなり、制御機は、更に切り替わり通知を受信したら外部通報装置へ電源の切り替わりを通知制御する制御機制御手段を備えたことを特徴とする。
この構成によれば、居室親機が非常電源装置に切り替わったら、居室親機がそれを報知する信号を出力し、異常発生を通信回線を介して接続されている外部通報装置で報知するので、異常発生を広範囲に報知でき、異常発生に速やかに対応することが可能となる。
【０００９】
請求項３の発明は、請求項１又は２に記載の発明において、居室親機には不審者の侵入を検知するための防犯センサが接続され、不審者の侵入を検知したら警報発報する防犯設定状態にセットされている場合に、不審者の侵入を検知してから発報動作するまでの間に非常電源装置への切り替わりを検知したら、親機制御手段は切り替わり通知と共に不審者侵入通知を制御機へ送信することを特徴とする。
この構成によれば、防犯センサが不審者の侵入を検知して警報発報する前に電源が非常電源装置に切り替わっても、電源の切断と合わせて不審者の侵入を外部に通知するので、管理人等は不審者が侵入して電源を切断したことを把握でき、速やかな対処が可能となる。
【発明の効果】
【００１０】
このように、本発明によれば、居室親機が非常電源装置へ切り替わったら、居室親機がそれを報知する信号を出力し、管理室親機或いは通信回線を介した外部通報装置が報知動作するので、居室に異常が発生したことを居室外で報知でき、異常発生に速やかに対応することが可能となる。
【発明を実施するための最良の形態】
【００１１】
以下、本発明を具体化した実施の形態を、図面に基づいて詳細に説明する。図１は、本発明に係る集合住宅インターホンシステムの一例を示す構成図であり、主要機器をブロック図で示している。図１に示すように、来訪者が居住者を呼び出すためにロビー等の集合玄関に設置される集合玄関機１、来訪者からの呼び出しに応答するために個々の住戸（居室）に設置される居室親機２、管理人が居住者等と通話するために管理室等に設置される管理室親機３、各機器間の通話及び通信を制御する制御機４、停電になった居室親機２に電源を供給するための非常電源装置５、外部で異常発生を報知するための外部通報装置６とから構成されている。尚、７は公衆電話網等の通信回線である。
【００１２】
集合玄関機１は、マイクロコンピュータから成る集合玄関機制御回路１０、テンキーを備えた操作部１１、各種情報を表示する表示部１２、マイク及びスピーカを備えた通話部１３、制御機４と通信するための通信回路１４、音声合成回路１５、合成音声を報音するためのアンプ１６及び拡声スピーカ１７を備えている。
【００１３】
居室親機２は、時間をカウントするタイマ回路１９、マイクロコンピュータから成る居室親機制御回路（親機制御手段）２０、タッチパネルからなる操作部２１、各種情報を表示する表示部２２、マイク及びスピーカを備えた通話部２３、制御機４と通信するための通信回路２４、音声合成回路２５、合成音声を報音するためのアンプ２６及び拡声スピーカ２７、電源の切り替わりを検知する電源回路２８、不審者侵入を検知するための窓センサ等の防犯センサや火災センサ、ガスセンサが接続されるセンサ部２９を備えている。
【００１４】
管理室親機３は、マイクロコンピュータから成る管理室親機制御回路３０、テンキーを備えた操作部３１、各種情報を表示する表示部３２、マイク及びスピーカを備えた通話部３３、制御機と通信するための通信回路３４、音声合成回路３５、合成音声を報音するためのアンプ３６及び拡声スピーカ３７を備えている。
【００１５】
制御機４は、マイクロコンピュータから成る制御機制御回路（制御機制御手段）４０、集合玄関機１と通信するための第１通信回路４１、居室親機２と通信するための第２通信回路４２、管理室親機３と通信するための第３通信回路４３、電話回線等の通信回線７を介して外部通報装置６に接続するためのＮＣＵ等の外部通信回路（通信回線接続インターフェイス）４４を備えている。そして、外部通報装置６は例えば警備会社に設置されたパーソナルコンピュータであり、通信回線７を介して制御機４に接続されている。
【００１６】
このように構成された集合住宅インターホンシステムの動作について以下説明する。尚、集合玄関機１、居室親機２、管理室親機３の間の呼出・通話機能については従来と同様であるので説明を省略し、電源の切り替わり及びその後の動作を図２のフローチャートに基づいて説明する。
【００１７】
居住者が外出する際に操作部２１を操作して防犯設定（Ｓ１）を選択すると、居室親機２は接続されている防犯センサ（図示せず）が能動とする防犯設定状態となる。この状態で例えば侵入者が窓から侵入すると、センサ部２９に接続された窓センサが侵入者を検知（Ｓ２）し、居室親機制御回路２０がそれを認識する。その結果、居室親機制御回路２０は、センサ部２９から異常検知信号を受けたら、タイマ回路１９により３０秒等の所定時間をカウントし、この所定時間が経過しても設定解除されなければ、表示部２２に侵入者ありの所定の情報を表示させると共に、拡声スピーカ２７からアナウンス或いはサイレン音等で侵入者ありの警報発報（Ｓ３）を実施する。
【００１８】
そして、居室親機制御回路２０は、居室親機２の発報から所定時間（例えば、３０秒）遅延させて（Ｓ７）、自己のＩＤ情報を加えた警報発報信号を通信回路２４を介して制御機４に送信する。制御機制御回路４０は、この警報発報信号を受信したら管理室親機３に転送（Ｓ８）する。こうして警報発報信号を受信した管理室親機制御回路（報知制御手段）３０は、信号に付与された居室親機ＩＤにより、警報発報状態にある居室親機２を特定し、表示部３２に発報状態にある居室情報を表示させるとともに、拡声スピーカ３７から居室情報を含んだ警報発報情報を報音（Ｓ９）させる。
【００１９】
一方で、警報発報信号を受信した制御機制御回路４０は、管理室親機３への転送に並行して外部通信回路４４を制御して通信回線７を介して接続されている外部通報装置６へも警報発報信号を送信（Ｓ８）する。こうして警報発報信号を受信した外部通報装置６は、管理室親機３と同様な警報発報情報を報音（Ｓ９）する。
【００２０】
この警報状態において、次に侵入者が警報を止めようと電源遮断操作を行い、住戸内を停電にすると、即ち商用電源からの居室親機２への電源供給が停止されると、リレー（図示せず）が電圧の変化を受けて切り替わり、非常電源装置５から電源が供給される。電源回路２８はこの切り替わりを居室親機制御回路２０に通知（Ｓ４）し、この通知を受けて居室親機制御回路４０は、自己のＩＤ情報を付与した電源切り替わり信号を制御機４へ通知し、制御機４は管理室親機３に転送する（Ｓ５）。
【００２１】
こうして電源切り替わり信号を受信した管理室親機制御回路３０は、信号に付与された居室親機ＩＤにより、電源が切り替わった居室親機３を特定し、表示部３２に停電となった居室情報を表示させるとともに、拡声スピーカ３７から居室情報とともに停電発生の警報を報音（Ｓ６）させる。
また、電源切り替わり信号を受信した制御機制御回路４０は、管理室親機３への転送に並行して外部通信回路４４を制御して、通信回線７を介して接続されている外部通報装置６へも電源切り替わり信号を送信（Ｓ５）する。こうして電源切り替わり信号を受信した外部通報装置６は、管理室親機３と同様な停電発生の警報を報音（Ｓ６）する。
【００２２】
このように、居室親機が非常電源装置へ切り替わったら、居室親機がそれを報知する信号を外部に出力し、管理室親機が報知動作するので、居室に異常が発生したことを居室外で報知でき、異常発生に速やかに対応することが可能となる。
また、居室親機が非常電源装置に切り替わったら、異常発生を通信回線を介して接続されている外部通報装置でも報知するので、異常発生を広範囲に報知でき、異常発生に速やかに対応することが可能となる。
更に、防犯センサが検知動作した場合も、居室親機は警報発報信号を外部に発信し、管理室親機等で発報動作するので、不審者の侵入を速やかに居室外で報知でき、速やかに対応することが可能となる。
【００２３】
以上は、居室親機２において警報発報開始後に居室親機２の電源が遮断された場合の動作を説明したが、侵入者が警報の発報を予期して、発報前に電源の遮断操作を行った場合は次のように動作する。商用電源からの電源供給が遮断されると、上述したように電圧の変化を受けてリレー（図示せず）が切り替わり、非常電源装置５から電源が供給される。この動作を受けて居室親機制御回路２０は、制御機４に対して電源切り替わり信号を送信する。
但し、居室親機制御回路２０は、防犯センサから異常発生信号を受信しているので、所定時間の経過を待たずに電源切り替わり信号に加えてセンサ動作信号を制御機４に送信する。
制御機制御回路４０は、この電源切り替わり信号及びセンサ動作信号を管理室親機３に転送し、管理室親機３で電源が遮断された旨の報知動作に連続して侵入者有りの報知を行う。同時に、外部通報装置６も電源切り替わり信号及びセンサ動作信号を受信し、同様の報知を行う。
【００２４】
このように、防犯センサが不審者の侵入を検知して警報発報する前に電源が非常電源装置に切り替わった場合は、電源の切断と合わせて不審者の侵入を外部に通知するので、管理人等は不審者が侵入して電源を切断したことを把握でき、速やかな対処が可能となる。
【００２５】
尚、上記実施形態においては、電源切り替わり信号を管理室親機３と外部通報装置６の双方で報知させているが、何れか一方のみで報知するよう管理室親機３で選択するよう構成しても良く、例えば、不審者の侵入の対処は危険を伴うため警備会社（外部通報装置）のみ通報するようにしてもよい。
【図面の簡単な説明】
【００２６】
【図１】本発明に係る集合住宅インターホンシステムの実施形態の一例を示し、要部をブロック図で示した構成図である。
【図２】図１のシステムにおいて、居室内で停電が発生した場合の動作の流れを示すフローチャートである。
【符号の説明】
【００２７】
１・・集合玄関機、２・・居室親機、３・・管理室親機、４・・制御機、５・・非常電電装置、６・・外部通報装置、２０・・居室親機制御回路（親機制御手段）、２８・・電源回路、２９・・センサ部、３０・・管理室親機制御回路（報知制御手段）、３２・・表示部（報知手段）、３７・・拡声スピーカ（報知手段）、４０・・制御機制御回路（制御機制御手段）、４４・・外部通信回路（通信回線接続インターフェイス）。
【図１】
2008079106.tif 000003
【図２】
2008079106.tif 000004